(57)【要約】【課題】省線化、機器の共通化を図る。【解決手段】玄関に設置され来客が居住者を呼び出すための玄関子機２と、居住者によって携帯され或いは居室内外の任意の位置に配置され、通信プロトコルを使用してデジタルデータによって音声信号を送受して玄関子機からの呼び出しを報知するとともに通話を成立させるＩＰ携帯電話である複数の携帯端末４と、携帯端末のアドレスを特定し、パケット交換によってデジタル音声信号を交換する交換機５と、ＬＡＮ配線Ｌ３によって交換機に接続され、携帯端末のデジタル音声データを無線で送受信するための無線ＬＡＮ機能を有する複数の無線アクセスポイント６とを備えている。【選択図】図１
2007096770.tif 000002
【特許請求の範囲】
【請求項１】
玄関に設置され来客が居住者を呼び出すための玄関子機（２）と、前記居住者によって携帯され或いは居室内外の任意の位置に配置され、通信プロトコルを使用してデジタルデータによって音声信号を送受して前記玄関子機からの呼び出しを報知するとともに通話を成立させるＩＰ携帯電話である１つ又は複数の携帯端末（４）と、前記携帯端末のアドレスを特定し、パケット交換によって前記デジタル音声信号を交換する交換機（５）と、ＬＡＮ配線（Ｌ３）によって前記交換機に接続され、前記携帯端末のデジタル音声データを無線で送受信するための無線ＬＡＮ機能を有する１つ又は複数の無線アクセスポイント（６）とを備えたことを特徴とするインターホンシステム。
【請求項２】
玄関に設置され来客が居住者を呼び出すための玄関子機（２）と、居室内に設置され前記玄関子機からの呼び出しを報知するとともに通話を成立させる居室親機（３）と、前記居住者によって携帯され或いは居室内外の任意の位置に配置され、通信プロトコルを使用してデジタルデータによって音声信号を送受して前記玄関子機からの呼び出しを報知するとともに通話を成立させるＩＰ携帯電話である１つ又は複数の携帯端末（４）と、前記携帯端末のアドレスを特定し、パケット交換によって前記デジタル音声信号を交換する交換機（５）と、ＬＡＮ配線（Ｌ３）によって前記交換機に接続され、前記携帯端末のデジタル音声データを無線で送受信するための無線ＬＡＮ機能を有する１つ又は複数の無線アクセスポイント（６）とを備えたことを特徴とするインターホンシステム。
【請求項３】
前記玄関子機は前記来客を撮像するためのカメラ（２１）を有し、前記居室親機は、前記カメラからの映像を表示するための表示部（３３）を備えることを特徴とする請求項２記載のインターホンシステム。
【請求項４】
前記交換機を前記居室親機に内蔵したことを特徴とする請求項２記載のインターホンシステム。
【請求項５】
前記無線アクセスポイントを前記居室親機、前記交換機、前記玄関子機の少なくとも１つに内蔵することを特徴とする請求項２記載のインターホンシステム。
【請求項６】
前記居室親機に接続され前記ＬＡＮ配線によって前記無線アクセスポイントで中継される増設親機（１３）を備えることを特徴とする請求項２乃至請求項５何れか１項記載のインターホンシステム。
【請求項７】
前記玄関子機は前記来客を撮像するためのカメラ（２１）を有し、前記携帯端末は、前記カメラからの映像を表示するための表示部（４３)を備えることを特徴とする請求項１乃至請求項６何れか１項記載のインターホンシステム。
【請求項８】
前記居室親機又は前記携帯端末は、前記無線アクセスポイントに接続される前記ＬＡＮ配線の回線使用率が予め定められた閾値を超えた場合に警報を前記表示部に表示する制御部（３５、４５）を備えることを特徴とする請求項３乃至請求項７何れか１項記載のインターホンシステム。
【請求項９】
前記居室親機又は前記携帯端末は、前記無線アクセスポイントに接続されている端末の一覧を前記表示部に表示する制御部（３５、４５）を備えることを特徴とする請求項３乃至請求項８何れか１項記載のインターホンシステム。
【請求項１０】
前記居室親機又は前記携帯端末は、前記無線アクセスポイントに予め定められた端末以外の端末が接続された場合に警報を前記表示部に表示する制御部（３５、４５）を備えることを特徴とする請求項３乃至請求項９何れか１項記載のインターホンシステム。
【請求項１１】
前記無線アクセスポイントは、居住者のパーソナルコンピュータ、モデム、居室を撮像するためのネットワークカメラ等の電子機器（１１、１２）を前記ＬＡＮ配線に接続するためのハブ（６１）を備えることを特徴とする請求項１乃至請求項１０何れか１項記載のインターホンシステム。
【請求項１２】
前記ハブは、居室外へ前記携帯端末を携帯或いは配置するためのモデム（１２）を接続したことを特徴とする請求項１１記載のインターホンシステム。
【請求項１３】
前記携帯端末は複数備えられ、呼び出しがあった時に前記携帯端末を予め指定した順序で呼び出すことを特徴とする請求項１乃至請求項１２何れか１項記載のインターホンシステム。
【請求項１４】
前記携帯端末は複数備えられ、呼び出しがあった時に前記携帯端末を屋内に配置されているものから優先的に呼び出すことを特徴とする請求項１乃至請求項１２何れか１項記載のインターホンシステム。
【発明の詳細な説明】
【技術分野】
【０００１】
本発明は玄関子機と、居室親機或いは携帯端末で相互に通信を行なうインターホンシステムに係り、特に玄関子機から呼び出される携帯端末をＩＰ携帯電話にすることで、通話以外の情報の伝送を可能とするとともに省線化、機器の共通化を図ることができるインターホンシステムに関する。
【背景技術】
【０００２】
従来から、この種のインターホンシステムとして、玄関先に設置されテレビカメラを有するドアホン子機と、ドアホン子機に接続され当該ドアホン子機と通話をするとともにテレビカメラで撮像された映像を映し出すモニタテレビを有するインターホン親機と、インターホン親機に接続され当該インターホン親機を介してテレビカメラで撮像された映像を映し出すテレビ受像機と、インターホン親機を介して無線でドアホン子機と通話をするワイヤレス子機とを備えたテレビインターホンシステムが開示されている（例えば、特許文献１参照）。
【０００３】
このようなテレビインターホンシステムは、来客が居住者を呼び出すためにドアホン子機の呼出スイッチを呼出操作すると、インターホン親機およびワイヤレス子機で同時に呼出音が出力され、インターホン親機のモニタテレビに来客の映像が映し出される。このドアホン子機からの呼び出しに対して、居住者がインターホン親機のハンドセットを取り上げることで、ドアホン子機、インターホン親機間で通話路が形成され来客と居住者との間で通話が成立する。また、ワイヤレス子機で通話を行う場合には、ワイヤレス子機の通話スイッチで通話操作することで、ドアホン子機、ワイヤレス子機間で通話路が形成され来客と居住者との間で通話が成立する。この際、居住者はテレビ受像機のワイヤレスリモコンスイッチを操作して電源をオンすることで、テレビ受像機に来客の映像が映し出される。
【０００４】
【特許文献１】特開平６−１１３０２５号公報（第３、４頁、第１図）
【発明の開示】
【発明が解決しようとする課題】
【０００５】
しかしながら、背景技術に記載したテレビインターホンシステムでは、ワイヤレス子機は、通話機能のみしか有しておらず、付加機能としての来訪者の映像情報等のデータを送受信することができなかった。また、ワイヤレス子機とインターホン親機が通話するためには、インターホン親機から出力される直接波の電波が受信できる位置にワイヤレス子機が配置されている必要があるので、建物の構造によっては屋内でも電波が届かなくなる可能性があった。さらに、居住者がワイヤレス子機を携行して外出した場合には、電波が届かなくなりドアホン子機からの呼び出しを着信することができなかった。
【０００６】
本発明は、このような従来の難点を解消するためになされたもので、省線化、機器の共通化を図ることができるインターホンシステムを提供することを目的とする。また、本発明は、玄関子機から呼び出される携帯端末をＩＰ携帯電話とすることで、携帯端末に来客の映像を映し出すとともに無線アクセスポイントを設置することができるインターホンシステムを提供することを目的とする。また、本発明は、無線アクセスポイントを他の無線ＬＡＮ機器と共通化することができるインターホンシステムを提供することを目的とする。また、本発明は、低価格で広範囲に通話が可能になるインターホンシステムを提供することを目的とする。
【課題を解決するための手段】
【０００７】
上述の目的を達成する本発明の第１の態様であるインターホンシステムは、玄関に設置され来客が居住者を呼び出すための玄関子機と、居住者によって携帯され或いは居室内外の任意の位置に配置され、通信プロトコルを使用してデジタルデータによって音声信号を送受して玄関子機からの呼び出しを報知するとともに通話を成立させるＩＰ携帯電話である１つ又は複数の携帯端末と、携帯端末のアドレスを特定し、パケット交換によってデジタル音声信号を交換する交換機と、ＬＡＮ配線によって交換機に接続され、携帯端末のデジタル音声データを無線で送受信するための無線ＬＡＮ機能を有する１つ又は複数の無線アクセスポイントとを備えたものである。
【０００８】
上述の目的を達成する本発明の第２の態様であるインターホンシステムは、玄関に設置され来客が居住者を呼び出すための玄関子機と、居室内に設置され玄関子機からの呼び出しを報知するとともに通話を成立させる居室親機と、居住者によって携帯され或いは居室内外の任意の位置に配置され、通信プロトコルを使用してデジタルデータによって音声信号を送受して玄関子機からの呼び出しを報知するとともに通話を成立させるＩＰ携帯電話である１つ又は複数の携帯端末と、携帯端末のアドレスを特定し、パケット交換によってデジタル音声信号を交換する交換機と、ＬＡＮ配線によって交換機に接続され、携帯端末のデジタル音声データを無線で送受信するための無線ＬＡＮ機能を有する１つ又は複数の無線アクセスポイントとを備えたものである。
【０００９】
このような第１の態様および第２の態様であるインターホンシステムによれば、ＩＰ携帯電話と無線で送受信するための無線ＬＡＮ機能を有する無線アクセスポイントを備えたので、ネットワークカメラ、パーソナルコンピュータ、モデム等の無線ＬＡＮ機能を備えた機器と無線通信することができることから省線化を実現することができる。したがって、従来のワイヤレス子機に比べて低価格でシステムを構築することができ、また、従来のワイヤレス子機では不可能であった通話以外の情報の伝送が可能になる。
【００１０】
本発明の第３の態様は第２の態様であるインターホンシステムにおいて、玄関子機は来客を撮像するためのカメラを有し、居室親機は、カメラからの映像を表示するための表示部を備えるものである。このようなインターホンシステムによれば、付加情報として居室親機の表示部で玄関子機のカメラで撮像した映像を確認することができるため、居室内の居室親機にて来客を確認することができる。
【００１１】
本発明の第４の態様は第２の態様であるインターホンシステムにおいて、交換機を居室親機に内蔵したものである。このようなインターホンシステムによれば、交換機を居室親機に内蔵したので、ケーブルの省線化を図ることができ、而も機器が１つ減りシステムの簡素化とともに美観的効果がある。
【００１２】
本発明の第５の態様は第２の態様であるインターホンシステムにおいて、無線アクセスポイントを居室親機、交換機、玄関子機の少なくとも１つに内蔵するものである。このようなインターホンシステムによれば、無線アクセスポイントを居室親機、交換機、玄関子機の少なくとも１つに内蔵したので、ＬＡＮケーブルの省線化を図ることができ、而も機器が１つ減りシステムの簡素化とともに美観的効果がある。
【００１３】
本発明の第６の態様は第２の態様乃至第５の態様の何れか１つであるインターホンシステムにおいて、居室親機に接続されＬＡＮ配線によって無線アクセスポイントで中継される増設親機を備えるものである。このようなインターホンシステムによれば、居室親機との各種信号の送受信を無線アクセスポイントを介して伝送させることができるので、従来必要であった増設親機幹線が不要となり、さらに省線化が可能となる。
【００１４】
本発明の第７の態様は第１の態様乃至第６の態様の何れか１つであるインターホンシステムにおいて、玄関子機は来客を撮像するためのカメラを有し、携帯端末は、カメラからの映像を表示するための表示部を備えるものである。このようなインターホンシステムによれば、携帯端末の表示部で玄関子機の映像を確認することができるので、建物内のどこにいても来客を確認することができる。
【００１５】
本発明の第８の態様は第３の態様乃至第７の態様の何れか１つであるインターホンシステムにおいて、居室親機又は携帯端末は、無線アクセスポイントに接続されるＬＡＮ配線の回線使用率が予め定められた閾値を超えた場合に警報を表示部に表示する制御部を備えるものである。このようなインターホンシステムによれば、居室親機又は携帯端末は、無線アクセスポイントに接続されるＬＡＮ配線の回線使用率を把握できるので、ＩＰ携帯電話システムの回線輻輳等、異常事態の発生を事前に把握することができる。
【００１６】
本発明の第９の態様は第３の態様乃至第８の態様の何れか１つであるインターホンシステムにおいて、居室親機又は携帯端末は、無線アクセスポイントに接続されている端末の一覧を表示部に表示する制御部を備えるものである。このようなインターホンシステムによれば、居室親機又は携帯端末は、無線アクセスポイントに接続されている無線ＬＡＮ機能を有する機器の一覧を確認できるので、ＩＰ携帯電話システムに悪影響を与えおそれのある機器の接続、及び近隣住戸からの不正接続を発見することができる。
【００１７】
本発明の第１０の態様は第３の態様乃至第９の態様の何れか１つであるインターホンシステムにおいて、居室親機又は携帯端末は、無線アクセスポイントに予め定められた端末以外の端末が接続された場合に警報を表示部に表示する制御部を備えるものである。このようなインターホンシステムによれば、居室親機又は携帯端末は、ＩＰ携帯電話、ネットワークカメラ等の予め定められた機器以外の機器が接続されたことを把握することができるので、ＩＰ携帯電話システムに悪影響を与える虞のある機器の接続、及び近隣住戸からの不正接続を確認することができる。
【００１８】
本発明の第１１の態様は第１の態様乃至第１０の態様の何れか１つであるインターホンシステムにおいて、無線アクセスポイントは、居住者のパーソナルコンピュータ、モデム、居室を撮像するためのネットワークカメラ等の電子機器をＬＡＮ配線に接続するためのハブを備えるものである。このようなインターホンシステムによれば、無線アクセスポイントにハブ機能をもたせたので、無線ＬＡＮ機能を有しないパーソナルコンピュータ、モデム、ネットワークカメラ等の有線ＬＡＮ接続機器も容易に接続することができる。したがって、無線アクセスポイントに接続可能な機器がさらに増えるとともに、無線アクセスポイント同士を容易に渡り配線とすることができ、配線の自由度が増す。
【００１９】
本発明の第１２の態様は第１１の態様であるインターホンシステムにおいて、ハブは、居室外へ携帯端末を携帯或いは配置するためのモデムを接続したものである。このようなインターホンシステムによれば、ハブにモデムが接続されているので、ＩＰ携帯電話を屋外に持ちだしたとしても公衆無線ＬＡＮ等の無線ＬＡＮエリア内であれば、玄関子機からの呼び出しに応答して通話することができる。
【００２０】
本発明の第１３の態様は第１の態様乃至第１２の態様の何れか１つであるインターホンシステムにおいて、携帯端末は複数備えられ、呼び出しがあった時に携帯端末を予め指定した順序で呼び出すものである。このようなインターホンシステムによれば、玄関子機からの呼出時に特定の人が応答することができる。
【００２１】
本発明の第１４の態様は第１の態様乃至第１２の態様の何れか１つであるインターホンシステムにおいて、携帯端末は複数備えられ、呼び出しがあった時に携帯端末を屋内に配置されているものから優先的に呼び出すものである。このようなインターホンシステムによれば、玄関子機からの呼出時に居室にいる人が優先的に応答することができる。
【発明の効果】
【００２２】
以上のように、本発明のインターホンシステムによれば、省線化、機器の共通化を図ることができる。また、本発明によれば、玄関子機から呼び出される携帯端末をＩＰ携帯電話とすることで、携帯端末に来客の映像を映し出すとともに無線アクセスポイントを設置することができるインターホンシステムを提供することができる。また、本発明によれば、無線アクセスポイントを他の無線ＬＡＮ機器と共通化することができるので、無線ＬＡＮ機能を有するシステムとの融合が実現できるインターホンシステムを提供することができる。また、本発明によれば、低価格で広範囲に通話が可能になるインターホンシステムを提供することができる。
【発明を実施するための最良の形態】
【００２３】
以下、本発明を実施するための最良の実施形態について、図面を参照して説明する。参照する図１は、本発明のインターホシステムを示す図で、（Ａ）はシステム構成図、（Ｂ）は携帯端末の外観図である。
【００２４】
本発明の好ましい実施の形態例であるインターホンシステムは戸建住宅用インターホンシステムで、図１（Ａ）に示すように、居室玄関に設置され来客が居住者を呼び出すための玄関子機２と、居室内に設置され玄関子機２からの呼び出しを報知するとともに通話を成立させる居室親機３と、居住者によって携帯され或いは居室内外の任意の位置に配置され、通信プロトコルを使用してデジタルデータによって音声信号を送受して玄関子機２からの呼び出しを報知するとともに通話を成立させるＩＰ携帯電話である複数の携帯端末４と、携帯端末４のアドレスを特定し、パケット交換によってデジタル音声信号を交換する交換機５と、携帯端末４のデジタル音声データを無線で送受信するための無線ＬＡＮ機能を有する複数の無線アクセスポイント６とを備えている。なお、ＬＡＮ用の通信プロトコルとしては、イーサネット（Ethernet：登録商標）、トークンリング（Token Ring）などの物理的なプロトコルが該当する。
【００２５】
玄関子機２は子機接続ラインＬ１を介して居室親機３に接続され、居室親機３は交換機接続ラインＬ２を介して交換機５に接続されている。この交換機５には、ＬＡＮケーブルで構成されＬＡＮ用の通信プロトコルによるデジタルデータを伝送するＬＡＮ配線である基地局接続ラインＬ３によって複数の無線アクセスポイント６がそれぞれ接続されている。また、居室内に無線ＬＡＮ機能を有する増設居室親機１３を備えても、無線アクセスポイント６と信号の送受信することができるので、この増設居室親機１３を増設親機幹線を介さなくとも居室親機３に接続することができる。したがって、省線化が可能となる。
【００２６】
このような玄関子機２は、来客を撮像するためのカメラ２１と、居室親機３や携帯端末４と通話するためのマイク２２およびスピーカ２３と、居住者を呼び出すための呼出ボタン２４とを備えている。
【００２７】
居室親機３は、玄関子機３からの呼び出しを報知する呼出スピーカ３１と、玄関子機３のマイク２２およびスピーカ２３と通話するためのマイク及びスピーカを有するハンドセット３２と、玄関子機２のカメラ２１で撮像した映像を表示する液晶パネル等の表示部３３と、来客との通話および終話を行うための通話ボタン３４とを備えている。なお、マイク及びスピーカは筐体自体に設けてもよい。
【００２８】
また、居室親機３は玄関子機２および交換機５と信号の送受信を行うための制御部３５を備えている。この制御部３５は、基地局接続ラインＬ３の回線使用率が予め定められた閾値を超えた場合に警報を表示部３３に表示する第１の制御機能を有している。この基地局接続ラインＬ３の回線使用率は、交換機５の基地局接続ラインＬ３からの受信パケットのバイト数によって得ることができる。この第１の制御機能により、居室親機３は基地局接続ラインＬ３の回線使用率を把握できるので、ＩＰ携帯電話システムの回線輻輳等、異常事態の発生を事前に把握することができる。また、制御部３５は、無線アクセスポイント６に接続されている端末の一覧を表示部３３に表示する第２の制御機能を有している。この第２の制御機能により、居室親機３はＩＰ携帯電話、ネットワークカメラ等の予め定められた機器以外の機器が接続されたことを把握することができるので、ＩＰ携帯電話システムに悪影響を与える虞のある機器の接続、及び近隣住戸からの不正接続を確認することができる。また、制御部３５は、無線アクセスポイント６に予め定められた端末以外の端末が接続された場合に警報を表示部３２に表示する第３の制御機能を有している。この第３の制御機能により、居室親機３はＩＰ携帯電話、ネットワークカメラ等の予め定められた機器以外の機器が接続されたことを把握することができるので、ＩＰ携帯電話システムに悪影響を与える虞のある機器の接続、及び近隣住戸からの不正接続を確認することができる。なお、これら制御機能は制御部３５がすべて有していなくてもよく、適宜選択できるものである。
【００２９】
携帯端末４は図１（Ｂ）に示すように、玄関子機３のマイク２２およびスピーカ２３と通話するためのマイク４１およびスピーカ４２と、玄関子機２のカメラ２１で撮像した映像を表示する液晶パネル等の表示部４３と、来客との通話および終話を行うための通話ボタン４４とを備えている。また、携帯端末４は無線アクセスポイント６と信号の送受信を行うための制御部４５を備えている。
【００３０】
交換機５は、無線アクセスポイント６を回線制御する制御部５１を有している。この制御部５１は、携帯端末４が複数備えられている場合には、玄関子機２から呼び出しがあった時に複数の携帯端末４を予め指定した順序で呼び出す第１の制御機能を有している。この第１の制御機能により、玄関子機２からの呼出時に特定の人が応答することができる。また、制御部５１は、携帯端末４が複数備えられている場合には、玄関子機２から呼び出しがあった時に携帯端末４を屋内に配置されているものから優先的に呼び出す第２の制御機能を有している。この第２の制御機能により、玄関子機からの呼出時に居室にいる人が優先的に応答することができる。また、制御部５１は、携帯端末４が複数備えられている場合には、すべての携帯端末４を一斉に呼び出す第３の制御機能を有している。この第３の制御機能により、玄関子機２からの呼び出しに対して即答することができる。なお、これら制御機能は制御部５１がすべて有していなくてもよく、適宜選択できるものである。
【００３１】
無線アクセスポイント６は、携帯端末４のデジタル音声データを無線で送受信し、カメラ２１の映像データを無線で送信するための無線ＬＡＮ機能を有している。
【００３２】
戸建住宅用インターホンシステム１は、このようにＩＰ携帯電話である携帯端末４と無線で送受信するための無線ＬＡＮ機能を有する無線アクセスポイント６を備えたので、ネットワークカメラ、パーソナルコンピュータ、モデム等の無線ＬＡＮ機能を備えた機器と無線通信することができることから省線化を実現することができる。ここで、無線ＬＡＮ機能を備えた機器とは、ＬＡＮ用の通信プロトコルによって信号を送信したり受信したりすることができる機器をいう。
【００３３】
このように構成された戸建住宅用インターホンシステム１について、以下、具体的な動作について説明する。
【００３４】
来客が居室内の居住者を呼び出すために玄関子機２の呼出ボタン２４を操作すると、呼出信号が子機接続ラインＬ１を介して居室親機３に伝送されるので、居室親機３の呼出スピーカ３１から呼出音は出力される。また、玄関子機２のカメラ２１で撮像した来客の映像の映像信号も子機接続ラインＬ１を介して居室親機３に伝送されるので、居室親機３の表示部３３に来客の映像を映し出すことができる。さらに、居室親機３は、この呼出信号および映像信号を交換機接続ラインＬ２を介して交換機５に伝送する。
【００３５】
交換機５は、呼出信号を検出すると、制御部５１で第１の制御機能が選択されている場合には、予め設定した優先順位に基づいて対応した携帯端末４の携帯端末番号を特定し、この携帯端末番号と呼出番号および映像信号を含む端末呼出制御信号を順次、基地局接続ラインＬ３に伝送する。この端末呼出制御信号は各無線アクセスポイント６で無線ＬＡＮ信号に変換された後、各携帯端末４に無線伝送される。また、制御部５１で第２の制御機能が選択されている場合には、屋内に配置されているものから優先的に呼び出すように携帯端末４の携帯端末番号を特定し、この携帯端末番号と呼出番号を含む端末呼出制御信号を順次、基地局接続ラインＬ３に伝送する。この端末呼出制御信号は各無線アクセスポイント６で無線ＬＡＮ信号に変換された後、各携帯端末４に無線伝送される。また、制御部５１で第３の制御機能が選択されている場合には、すべての携帯端末４を一斉に呼び出すために各携帯端末番号と呼出番号を含む端末呼出制御信号を一斉に基地局接続ラインＬ３に伝送する。
【００３６】
この端末呼出制御信号を受信した各携帯端末４は、端末呼出制御信号に含まれている携帯端末番号と自端末が有する個別の携帯端末番号とを照合し、一致した場合のみ呼出信号、映像信号を有効であると判断して、玄関子機２のカメラ２１で撮像した映像を表示部４３で表示させるとともに、スピーカ４２から呼出音を出力させる。
【００３７】
ここで、居室内の居室親機３で玄関子機２からの呼び出しを確認した居住者が居室親機３の通話ボタン３４にて応答操作すると、当該居室親機３のハンドセット３２と呼出元の玄関子機２のマイク２２およびスピーカ２３とは、子機接続ラインＬ１を介して通話ラインが形成され、この通話ラインを介して音声信号を送受信させることにより、居室内の居住者と居室玄関の来客との間で通話が成立する。また、居室居内の居住者は居室親機３の表示部３３で来客の映像を確認しながら通話を行うことができる。
【００３８】
一方、携帯端末４を携帯している居住者が当該携帯端末４にて応答すると、携帯端末４のマイク４１およびスピーカ４２と呼出元の玄関子機２のマイク２２およびスピーカ２３とは、無線アクセスポイント６、基地局接続ラインＬ３、交換機５、交換機接続ラインＬ２、居室親機３および子機接続ラインＬ１を介して通話ラインが形成され、この通話ラインを介して音声信号を送受信させることにより、携帯端末４を携帯している居室内の居住者と居室玄関の来客との間で通話が成立する。また、携帯端末４を携帯している居室内の居住者は携帯端末４の表示部４３で来客の映像を確認しながら通話を行うことができる。
【００３９】
なお、上述した戸建住宅用インターホンシステム１では、携帯端末４および無線アクセスポイント６は複数備えていたが、システムの規模によっては携帯端末４が１つで無線アクセスポイント６を複数備えたり、携帯端末４が複数で無線アクセスポイント６を１つ備えたり、携帯端末４が複数で無線アクセスポイント６も複数備えたりすることができる。
【００４０】
また、上述した戸建住宅用インターホンシステム１は、玄関子機２、居室親機３、複数の携帯端末４、交換機５および複数の無線アクセスポイント６で構成されていたが、これに限らず、居室親機が備えられていないインターホンシステムでも同様の効果を得ることができる。この場合、玄関子機２と交換機５とを接続させる。また、携帯端末４の制御部４５に、居室親機３の制御部３５が有している第１の制御機能、第２の制御機能、第３の制御機能を備えることで、各制御機能の作用、効果を得ることができる。
【００４１】
また、上述したインターホンシステムは戸建住宅用インターホンシステムであったが、これに限らず、集合住宅用インターホンシステムにも適用させることができる。参照する図２は、本発明の集合住宅用インターホシステムを示すシステム構成図である。
【００４２】
集合住宅用インターホシステム１０は図２に示すように、玄関に設置され来客が居住者を呼び出すための玄関子機２と、居室内に設置され玄関子機２からの呼び出しを報知するとともに通話を成立させる複数の居室親機３と、集合玄関に設置され居室親機３との通話を行なう集合玄関機７と、居住者によって携帯され或いは居室内外の任意の位置に配置され、通信プロトコルを使用してデジタルデータによって音声信号を送受して玄関子機２、集合玄関機７または管理室親機８からの呼び出しを報知するとともに通話を成立させるＩＰ携帯電話である複数の携帯端末４と、管理室に設置され複数の居室親機３および集合玄関機２と通話を行なう管理室親機８と、複数の居室親機３、集合玄関機２および管理室親機８による相互通信を制御する制御機９とを備えている。
【００４３】
なお、この集合住宅用インターホシステム１０は集合玄関機７、管理室親機８および制御機９以外は、上述した戸建住宅用インターホンシステム１と同一構成なので、同一要素には同一参照番号を付して、それらに関する構成、作用、動作の説明は省略する。
【００４４】
集合玄関機７は、居住者と通話を行なうための拡声スピ−カ７２及びマイク７１と、集合玄関の来訪者を撮像するためのカメラ７３と、室番号等が表示される液晶モニタ等から成る表示部７４とを有している。なお、表示部７４には来訪者が居住者を呼び出すためのテンキーや呼出ボタンであるタッチパネル７５を有している。このテンキーや呼出ボタンは集合玄関機７の筐体自体に設けてもよい。
【００４５】
管理室親機８は、住戸の玄関や集合玄関の来訪者からの呼び出しを報知する拡声スピーカ８１と、居住者や来訪者と通話を行なうためのハンドセット８２と、集合玄関機７のカメラ７４で撮像した映像を表示する液晶モニタ等から成る表示部８３とを有している。なお、表示部８４には管理人が居住者を呼び出すためのテンキーや呼出ボタンであるタッチパネル８４を有している。このテンキーや呼出ボタンは管理室親機８の筐体自体に設けてもよい。
【００４６】
制御機９は、複数の居室親機３、交換機５、集合玄関機７および管理室親機８を制御するためのものである。
【００４７】
このような集合住宅用インターホシステム１０は、玄関子機２は子機接続ラインＬ１を介して居室親機３に接続され、居室親機３は制御機接続ラインＬ４を介して制御機９にバス接続されている。制御機９には、交換機接続ラインＬ２を介して交換機５が、集合玄関機接続ラインＬ５を介して集合玄関機７が、管理室親機ラインＬ６を介して管理室親機８がそれぞれ接続されている。また、交換機５には、ＬＡＮケーブルで構成されＬＡＮ用の通信プロトコルによるデジタルデータを伝送するＬＡＮ配線である基地局接続ラインＬ３によって複数の無線アクセスポイント６がそれぞれ接続されている。なお、無線アクセスポイント６は居室内に限らず集合住宅の廊下やエレベータ等にも設置させてもよい。
【００４８】
このように構成された集合住宅用インターホンシステム１０について、以下、具体的な動作について説明する。
【００４９】
来客が特定の居室内の居住者を呼び出すために集合玄関機７のタッチパネル７５で居室番号を指定して呼出操作すると、居室番号を含む呼出信号が集合玄関機接続ラインＬ５を介して制御機９に伝送される。制御機５は呼出信号を受信すると、その呼出信号を制御機接続ラインＬ４に伝送するとともに、その居室番号に割り当てられた携帯端末４の携帯端末番号を特定し、その携帯端末番号を含めた呼出信号を交換機接続ラインＬ２に伝送する。該当居室親機３は制御機接続ラインＬ４を介して呼出信号を受信すると、呼出スピーカ３１から呼出音を出力する。また、集合玄関機７のカメラ７３で撮像した来客の映像の映像信号も制御機接続ラインＬ４を介して居室親機３に伝送されるので、居室親機３の表示部３３に来客の映像を映し出すことができる。
【００５０】
さらに、交換機５は、交換機接続ラインＬ２を介して呼出信号を検出すると、制御部５１で第１の制御機能が選択されている場合には、予め設定した優先順位に基づいて対応した携帯端末４の携帯端末番号を特定し、この携帯端末番号と呼出番号および映像信号を含む端末呼出制御信号を順次、基地局接続ラインＬ３に伝送する。この端末呼出制御信号は各無線アクセスポイント６で無線ＬＡＮ信号に変換された後、各携帯端末４に無線伝送される。また、制御部５１で第２の制御機能が選択されている場合には、屋内に配置されているものから優先的に呼び出すように携帯端末４の携帯端末番号を特定し、この携帯端末番号と呼出番号を含む端末呼出制御信号を順次、基地局接続ラインＬ３に伝送する。この端末呼出制御信号は各無線アクセスポイント６で無線ＬＡＮ信号に変換された後、各携帯端末４に無線伝送される。また、制御部５１で第３の制御機能が選択されている場合には、すべての携帯端末４を一斉に呼び出すために各携帯端末番号と呼出番号を含む端末呼出制御信号を一斉に基地局接続ラインＬ３に伝送する。
【００５１】
この端末呼出制御信号を受信した各携帯端末４は、端末呼出制御信号に含まれている携帯端末番号と自端末が有する個別の携帯端末番号とを照合し、一致した場合のみ呼出信号、映像信号を有効であると判断して、集合玄関機７のカメラ７３で撮像した映像を表示部４３で表示させるとともに、スピーカ４２から呼出音を出力させる。
【００５２】
ここで、居室内の居室親機３で集合玄関機７からの呼び出しを確認した居住者が居室親機３の通話ボタン３４にて応答操作すると、当該居室親機３のハンドセット３２と呼出元の集合玄関機７のマイク７１およびスピーカ７２とは、制御機接続ラインＬ４、制御機９および集合玄関機接続ラインＬ５を介して通話ラインが形成され、この通話ラインを介して音声信号を送受信させることにより、居室内の居住者と集合玄関の来客との間で通話が成立する。また、居室居内の居住者は居室親機３の表示部３３で来客の映像を確認しながら通話を行うことができる。
【００５３】
一方、携帯端末４を携帯している居住者が当該携帯端末４にて応答すると、携帯端末４のマイク４１およびスピーカ４２と呼出元の集合玄関機７のマイク７１およびスピーカ７２とは、無線アクセスポイント６、基地局接続ラインＬ３、交換機５、交換機接続ラインＬ２、制御機９および集合玄関機接続ラインＬ５を介して通話ラインが形成され、この通話ラインを介して音声信号を送受信させることにより、携帯端末４を携帯している居室内の居住者と集合玄関の来客との間で通話が成立する。また、携帯端末４を携帯している居室内の居住者は携帯端末４の表示部４３で来客の映像を確認しながら通話を行うことができる。
【００５４】
なお、上述したインターホンシステム１、１０では、基地局接続ラインＬ３は複数の無線アクセスポイント６に接続されているのでＬＡＮ用の通信プロトコルにより伝送するが、交換機接続ラインＬ２は戸建住宅用インターホンシステム１の場合、交換機５と居室親機３を、また、集合住宅用インターホンシステム１０の場合、交換機５と制御機９を接続しているだけなので、ＬＡＮ用の通信プロトコル、専用プロトコルのいずれでもよい。この場合、交換機接続ラインＬ２が専用プロトコルの場合には、交換機５にプロトコル変換機能をもたせることになる。
【００５５】
また、上述した戸建住宅用インターホンシステム１では、交換機５と居室親機３を別々に設置したが、交換機５を居室親機３に内蔵してもよい。これにより、ケーブルの省線化を図ることができ、而も機器が１つ減りシステムの簡素化とともに美観的効果がある。
【００５６】
また、上述したインターホンシステム１、１０では、無線アクセスポイント６と交換機５、居室親機３および玄関子機２を別々に設置したが、この無線アクセスポイント６を交換機５、居室親機３或いは玄関子機２の少なくとも１つに内蔵してもよい。これにより、ＬＡＮケーブルの省線化を図ることができ、而も機器が１つ減りシステムの簡素化とともに美観的効果がある。
【００５７】
また、上述したインターホンシステム１、１０では、無線アクセスポイント６とネットワークカメラ、パーソナルコンピュータ、モデム等の無線ＬＡＮ機能を備えた機器とは無線で通信していた。しかし、ネットワークカメラ、パーソナルコンピュータ、モデム等が無線ＬＡＮ機能を備えていない場合には、有線で通信しなければならないので、無線アクセスポイント６にハブ６１を備えるとよい。これにより、無線アクセスポイント６に接続可能な機器がさらに増えるとともに、無線アクセスポイント同士を容易に渡り配線とすることができ、配線の自由度が増す。また、このハブ６１に居室外へ携帯端末４を携帯或いは配置するためのモデム１２を接続してもよい。これにより、ＩＰ携帯電話である携帯端末４を外出先に持ちだした場合においても、外出先に無線ＬＡＮ環境があればインターネット等の広域ネットワークを介して携帯端末４と通信することができるので、携帯端末４を屋外に持ち出したとしても玄関子機２からの呼び出しに応答して通話することができる。なお、モデムに無線ＬＡＮ機能をもたせれば、無線アクセスポイント６と信号の送受信ができるので、ハブ６１にモデム１２を接続した場合と同様の効果を得ることができる。従来もＰＨＳや携帯電話等を利用したこのようなシステムがあったが、本実施例においてはＩＰ携帯電話である携帯端末４を利用することにより、利用料金がかからず、低コストなシステムを実現することができる。
【００５８】
なお、インターホンシステム１、１０では、無線ＬＡＮ機能を無線アクセスポイント６に備えたため、種々の無線ＬＡＮ機能を有する機器を接続することができる。例えば、無線アクセスポイント６に備えられたハブ６１にモデム１２を接続した場合、居住者がノートパソコンを無線アクセスポイント６に接続してインターネット上の動画をダウンロードしながら見る、等の使用方法も考えられる。しかし、このような使用が同時に複数の居室で行なわれると、回線利用率が上がり、インターホンの信号伝送に支障が出るという問題点がある。このため、居室親機３の制御部３５或いは携帯端末４の制御部４５の第１の制御機能により無線アクセスポイント６の回線利用率を常時監視し、回線利用率が一定の閾値を超えた場合には居室親機３の表示部３３或いは携帯端末４の表示部４３にＬＡＮ回線輻輳の警告を表示する。これを見た居住者がノートパソコンの使用を停止することにより、玄関子機４の信号の伝送を安定化させることができる。
【００５９】
また、インターホンシステム１、１０では、無線ＬＡＮ機能を無線アクセスポイント６に備えたため、居室外の近隣の機器、例えば隣家のノートパソコンから無線アクセスポイント６に無断で接続できてしまうという問題点がある。このため居室親機３の制御部３５或いは携帯端末４の制御部４５の第２の制御機能により接続されている機器のＩＰアドレスを収集し、居室親機３の表示部３３或いは携帯端末４の表示部４３に接続状態の一覧を表示することができる。さらには、居室親機３の制御部３５或いは携帯端末４の制御部４５の第３の制御機能により接続可能な機器のＩＰアドレスを事前に居室親機３の制御部３５或いは携帯端末４の制御部４５に登録するとともに、伝送データのＩＰアドレスを常時監視し、事前に登録されていないＩＰアドレスを発見した場合に、居室親機３の表示部３３或いは携帯端末４の表示部４３に異常接続の警告を表示する。したがって、これを見た居住者が異常接続を回避することで、インターホンシステムの信号の伝送を安定化させることができる。
【００６０】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００６１】
【図１】本発明のインターホンシステムによる最良な実施の形態を示す図で、（Ａ）はシステム構成図、（Ｂ）は携帯端末の外観図である。
【図２】本発明のインターホンシステムによる最良な他の実施の形態を示すシステム構成図である。
【符号の説明】
【００６２】
１……戸建住宅用インターホンシステム
２……玄関子機
２１……カメラ
３……居室親機
３３……表示部
３５……制御部
４……携帯端末
４３……表示部
４５……制御部
５……交換機
６……無線アクセスポイント
６１……ハブ
１０……集合住宅用インターホンシステム
１１……ネットワークカメラ（電子機器）
１２……モデム（電子機器）
Ｌ３……基地局接続ライン（ＬＡＮ配線）
【図１】
2007096770.tif 000003
【図２】
2007096770.tif 000004